(57)【要約】      （修正有）【課題】従来の即席めん容器では、麺、具材を食べた後に残るスープの底に沈殿している麺、具材を箸で摘み出して食するのに難渋するため、麺や具材が残っていてもスープごと捨てていた。そこで、具材を容器内に残し、スープのみを捨てるスープ抜きシステムを提供する。【解決手段】発泡スチロールのようなプラスチック製の素材又は紙製からなる器体１であって、この器体１の上面縁部の稍下方の内側部にメッシュあるいは不織布からなる濾過用の膜体２を熱圧着させる。なお、接着あるいは嵌着等の手段を用いることも可能である。  未使用状態に於いては薄紙製の蓋３は器体１の上面円周部にシールされて密着して貼付けされている。【選択図】        図１
2006248592.tif 000002
【特許請求の範囲】
【請求項１】
器体内側の上部縁部に濾過用の膜体を設けたことを特徴とする即席めん容器に於けるスープ抜きシステム。
【請求項２】
器体上部を膨らませて突出部を設け、該突出部の内側上部に濾過用の膜体を設けたことを特徴とする即席めん容器に於けるスープ抜きシステム。
【請求項３】
器体上部に横断面が略三角形状の突出部を設け、該突出部の開拡基部に濾過用の膜体を設けてスープ抽出室を設け、さらにスープ抽出室に小蓋を貼着してなる即席めん容器に於けるスープ抜きシステム。
【発明の詳細な説明】
【技術分野】
【０００１】
本発明は、即席めん容器に於けるスープ抜きシステムに関し、さらに詳しくは即席めん収納容器内の麺およびえび、いか、貝、コーンなどの具材を略食用したのち、容器の底に沈殿している麺や具材を残らず食べれるようにした。つまり、食用したのちの容器中のスープのみを排出できるようにして、底に残った麺、具材を残らず食することができるように構成したことを特徴とする即席めん容器に於けるスープ抜きシステムに関するものである。
【背景技術】
【０００２】
即席めん類は、容器の薄膜蓋をはがしたのち熱湯を注ぎ薄膜蓋を元に戻しておくのみで、極めて手軽に仕上がり簡易に食することができるので、多忙な現代社会に於いて、各家庭や職場にて広く重宝がられている。
【０００３】
特に即席めん類・具材が、味付油揚げ麺（小麦粉、澱粉、食塩、トレハロース、植物性たん白、とろろ芋、醤油、たん白加水分解物、漁醤かつおエキス）、コーン、チキンエキス、えび、魚介エキス、野菜エキス、かに様かまぼこ、いか、貝柱かまぼこ、食塩、砂糖、香辛料、たん白加水分解物、ねぎ、植物油、調味料などが使用されているので、風味、食味が頗る芳醇である。
【０００４】
したがって、調理の手軽さと、食生活の洋風化とマッチして、特に若い女性と子供達に人気があり、日常生活上一般家庭に於いて広く賞用されている。
また、即席めん容器は、常温にて保存できるので、地震や台風の災害用に各家庭、各職場にて備えとして非常に役立っている。
【０００５】
このように、日常生活上広く賞用されている即席めん容器には、特開平８−５８８５３、特開２００１−２４０１４９が知られている。
特開平８−５８８５３は、発泡スチロール等にて形成された容器本体にカバーを蓋装し、該容器本体にインスタントラーメン及びスープや具を充填した袋体等を収容して該カバーにて被蔽した食品収容容器にであって、該カバーの中央部位を切欠して開口部を設け、該開口部を小蓋体にて開閉自在に蓋装すると共に、該小蓋体の周縁部に反覆して接着剤を装着して成る食品収容容器において、該容器本体の底部直上の全面に及んでメッシュ状のフィルタを装着し、該フィルタの下面に漢方薬又は薬草を収納したことを特徴とする食品収容器である。
【０００６】
次に、特開２００１−２４０１４９は、カップ状の容器本体にその開口縁を囲繞するフランジ部を形成し、該フランジ部の少なくとも一部に該フランジ部の内側から前記容器本体の側壁上部にかけて湯切り用溝部を形成し、前記フランジ部全面をシート状のシール部材により剥離自在に密封し、前記湯切り用溝部を形成した前記フランジ部上の前記シール部材の一部を成す湯切り用シール部材を、前記湯切り用溝部の出口が現われるように前記シール部材から切り取って剥離可能としたことを特徴とする即席めん類用収納容器である。
【０００７】
上記従来の即席めん類用収納容器に於いては、前者は漢方薬又は薬草を利用したことを特徴としたものであり、且又後者は湯切り用溝部から熱湯の排出を行うことを特徴としたものである点は夫々評価できるが、現今の即席めん容器の最も大きな課題である容器中の食べ終わったのちの底に溜まったスープの中の麺、具材を残らず食べれるようにする問題点の解消には未だなっていない。
【特許文献１】特開平８‐５８８５３号公報
【特許文献２】特開２００１‐２４０１４９号公報
【発明の開示】
【発明が解決しようとする課題】
【０００８】
解決しようとする問題点は、即席めん容器中の麺と具材を食用したのち、容器の底に溜まっているスープの中にある麺や具材を如何にして掬い上げて食するかにかかっている。その点従来では箸で一々麺や具材を掬い上げて食べなければならない頗る面倒で手間が掛かった。したがって、若い女性や子供達は面倒臭いので、流しへスープごと捨ててしまっていた。
【０００９】
しかしながら、即席めんは量の割には高カロリー、高蛋白、高脂肪で発育盛りのヤング、子供には好食料品であるが、何といっても容器内の麺、具材の量そのものは極めて少ない。したがって、容器の底のスープ中に沈殿、滞留している麺、具材をスープごと捨てずに残らず食することが健康上、発育上頗る肝要である。
よって、本発明の即席めん容器に於けるスープ抜きシステムにて上記従来の課題を解決しようとするものである。
【課題を解決するための手段】
【００１０】
本発明は、即席めん容器に於けるスープ抜きシステムに関し、さらに詳しくは即席めん収納容器内の麺およびえび、いか、貝、コーンなどの具材を略食用したのち、容器の底に沈殿している麺や具材を残らず食べれるようにした。つまり、食用したのちの容器中のスープのみを排出できるようにして、底に残った麺、具材を残らず食することができるように構成したことを特徴とする即席めん容器に於けるスープ抜きシステムに関するものである。
【００１１】
本発明は、上記課題を解決するためになされたものであって、以下その解決手段を説明する。
＜解決手段１＞  
器体内側の上部縁部に濾過用の膜体を設けたことを特徴とする即席めん容器に於けるスープ抜きシステム。
＜解決手段２＞  
器体上部を膨らませて突出部を設け、該突出部の内側上部に濾過用の膜体を設けたことを特徴とする即席めん容器に於けるスープ抜きシステム。
＜解決手段３＞  
器体上部に横断面が略三角形状の突出部を設け、該突出部の開拡基部に濾過用の膜体を設けてスープ抽出室を設け、さらにスープ抽出室に小蓋を貼着してなる即席めん容器に於けるスープ抜きシステム。
【発明の効果】
【００１２】
（１）  本発明の解決手段１〜３の発明は器体内側の一側部に濾過用の膜体を設けたから、器体中の即席めん、具材を食べたのち、器体中のスープのみを膜体にて濾過して外部へ排出することができる。したがって、器体底に沈殿した麺、具材は膜体にて遮止され排出されないので、その麺、具材まで悉く食べることができる。
【００１３】
（２）  本発明の解決手段２、３の発明は、器体の一側上部を外方へ膨らませて突出部を設け、該突出部へ濾過用の膜体を張設したから、器体中の麺、具材を食べ易く、しかも食べ終わったのち、スープを排出し易くなった。
【００１４】
（３）  本発明の解決手段３の発明は、器体上部に横断面が略三角形の突出部を設けるゆえ、器体中のスープの排出がスープ抽出室を通じてスムーズに行えるようになった。
【発明を実施するための最良の形態】
【００１５】
本発明を実施するための最良の形態を、以下に図面を参照しながら詳細に説明する。
【実施例１】
【００１６】
＜実施例１の構成＞
図１ａは本発明の実施例１の即席めん容器におけるスープ抜きシステムに於いて器体から蓋を略剥離した状態の斜視図を示す。図１ｂに於いては、本発明の実施例１の同上縦断面図を示すものである。
【００１７】
図１ａ、図１ｂに於いて、１は発泡スチロールのようなプラスチック製の素材又は紙製からなる器体であって、この器体１の上面縁部の稍下方の内側部にメッシュあるいは不織布からなる濾過用の膜体２を熱圧着させる。なお、接着あるいは嵌着等の手段を用いることも可能である。
３は従来からある薄紙製の蓋であって、未使用状態に於いては該蓋３は器体１の上面円周部にシールされて密着して貼付けされている。
【００１８】
図２ａ、図２ｂには、嵌着という手段を用いて膜体２を器体１に固着する方法を示した。図２ａに示す方法は、器体１に凹部１ａを刻設し、膜体２を凹部１ａと嵌着片１６ｂの間に狭着し、嵌着片１ｂを凹部１ａに押し込んで嵌着することにより、膜体２を器体１に固着させる方法である。この方法によれば、熱圧着や接着等の手段を用いることなく、機械的に膜体２を器体１に固着させることができ、工程が簡素化される。
【００１９】
また、図２ｂに示す方法は、予め膜体２を嵌着片１ｄに熱圧着あるいは接着等により固着しておき、その状態で、嵌着片１ｄを器体１に刻設された凹部１ｃに嵌着させることにより、膜体２を器体１に固着するものである。この方法によれば、予め膜体２を嵌着片１ｄに固着したものを作っておけば、器体１に対してはこれを嵌着するだけで済むので、やはり工程は簡素化される。
【００２０】
なお、図２ａ、図２ｂに示す方法は両方とも機械的手段のみによって器体１に膜体２を固着させるものであるが、その際に補助的に熱圧着や接着等他の固着方法を併用することも無論可能である。
【００２１】
しかして器体１中には麺５及びえび、いか、貝、コーン、食塩、砂糖、香辛料などの具材６が収容されている。
そこで、即席めんを食用するときには、先ず摘み４を手にて持って器体１上面にシールされている蓋３を所定の位置（通常は、上面の半分近く）まで剥離する。しかるのち、容器中へ熱湯を注入して蓋３を閉じる。数分間経過後再び蓋３全体を剥離したのち、器体１を片手にて持ちながら箸にて容器中の麺５、具材６を食べる。
【００２２】
器体１中の麺５、具材６をほぼ食べ終えたならば、膜体２の張設された側を下方にしながら器体１を傾斜させて器体１中のスープを外部へ流出させる。このとき器体１の膜体２にて濾過されてスープは外部へ流出するが、器体１底部に沈殿して滞留している麺５、具材６は膜体２に遮止してスープと一緒に外部へ流出することなく器体１中に留まる。したがって、本発明の即席めん容器に於けるスープ抜きシステムによれば、容器中の麺５及び具材６を残すことなく全て食べ終えることができる。
【実施例２】
【００２３】
＜実施例２の構成＞
図３ａは本発明の実施例２の即席めん容器に於けるスープ抜きシステムの蓋３を略剥離した状態を示す平面図、図３ｂは同上斜視図、図３ｃは同上縦断面図である。
【００２４】
発泡スチロールのようなプラスチック製の素材または紙製からなる器体１の一側上部を外方へ膨らませて突出部７を設ける。そして器体１内側の上面より稍下方、つまり突出部７の上部へメッシュあるいは不織布からなる濾過用の膜体２を接着または熱圧着させる。３は従来からある薄紙製の蓋であって、該蓋３は未使用状態に於いては器体１の上面円周部にシールされて密着して貼付けされている。
【００２５】
器体１中には実施例１の容器と同様に麺５およびえび、いか、貝、コーン、食塩、砂糖、香辛料などの具材６が収容されている。
そこで、即席めんを食べるときには、摘み４を手にて持って器体１上面にシールされている蓋３を実施例１同様所定の位置まで剥離する。
しかるのち、容器中へ熱湯を注入して蓋３を閉じる。数分間経過後、再び蓋３全体を剥離したのち、器体１を片手で持ちながら箸を使用して容器中の麺５、具材６を食べるものであることは実施例１の場合と全く同様である。
【００２６】
器体１中の麺５、具材６をほぼ食べ終えたならば、膜体２の張設された側、所謂容器の突出部７を下方へ傾斜させながら器体１を傾斜させる。すると器体１中のスープが外部へ流出される。このとき器体１突出部７の内側上部に張設してある膜体２にて濾過されながらスープのみが外部へ流出されていくが、器体１底部に残留している麺５および具材６は膜体２に遮止してスープと共に外部へ流出することなく器体１中に留まる。そして器体１中に溜まった麺５、具材６を残らず全て食することができるものである。
【００２７】
実施例２の発明は器体１上部を外方へ膨らませて突出部７を設け、該突出部７の内側上部へ図３ａに示すように膜体２を張設したから、実施例１の発明、所謂普通のカップ状の容器の内側上部へ膜体２を設けたのに比較して、器体１の上部口部が広く形成されたことになる。したがって、実施例１の発明に比較して麺５、具材６が箸にて掴んで食べ易くなったものである。且又器体１のスープ抜き出し部分、所謂突出部７が湾曲状に構成されるゆえ、スープの流出がし易くなったものである。
【実施例３】
【００２８】
＜実施例３の構成＞
図４ａは本発明の実施例３の即席めん容器に於けるスープ抜きシステムの未使用状態に於ける斜視図、図４ｂは図４ａに於ける容器の蓋を略剥離した状態を示す斜視図である。図４ｃは図４ｂからさらに小蓋を取り外した状態を示す斜視図である。図４ｄは同上実施例３の容器からスープを抜き出している状態を示す要部の拡大縦断面図である。
【００２９】
発泡スチロールのようなプラスチック製の素材または紙製からなる器体１の一側上部を外方へ屈曲傾斜させて横断面が略三角形状を成す突出部８を形成する。そして器体１内の突出部８の開拡基部にメッシュあるいは不織布からなる濾過用の膜体２を張設してスープ抽出室９を設ける。この場合突出部８の上面先部が外方に向かって下方へ傾斜角度となるように形成させる。
しかして、器体１のスープ抽出室９上へスープ抜き用の小蓋１０を剥離可能な状態にて接着する。そして、さらに器体１の上面へ薄紙製の本体蓋１１をシールして密着させて貼り付けしてある。
【００３０】
なお、器体１中には実施例１、２の容器と同じく麺５およびえび、いか、貝、コーン、食塩、砂糖、香辛料などの具材６が収容されている。
そこで、即席めんを食用する際には、実施例１、２同様、所定位置まで本体蓋１１を開けて、容器中へ熱湯を注ぎ、次いで本体蓋１１を閉じたのち、その儘暫くの間待つ。つまり、数分間経過後、容器中の麺５、具材６が軟化したならば、再度本体蓋１１を開き、器体１中の麺５、具材６を食べる。
【００３１】
器体１中の麺５、具材６を食べ終えたならば、スープ抜き用の小蓋１０を取り外し、スープ抜き口を開く。次いで器体１を突出部８を下方へ傾斜させて、器体１中のスープを膜体２にて濾過させながら、突出部８の先端αより外部へ排出させる。このとき、スープと一緒に流動する麺５、具材６は膜体２に遮止されて器体１中に留まり、スープと一緒にスープ抽出室９より外部へ排出されていかない。したがって、器体１中に残留する麺５、具材６を悉く食べることができる。
【００３２】
実施例３の発明は器体１の一側部に膜体２を介して横断面が略三角形状を成すスープ抽出室９を設けたので、容器中のスープを排出させる際、図３ｄに示すようにスープ抽出室９を通過して先端αより外部へ排出することができるので、実施例２の発明に比して、スープの排出を頗るスムーズに行うことができる。しかも、スープを前部飲みたい人は、小蓋１０を開く必要が無く、通常の即席めんと同様に食すことができる。また、未使用状態（図４ａ）にて、すでにスープ抽出室９が付属していることが外観上明らかなので、購買の際のはっきりとした目安ともなる。
【実施例４】
【００３３】
＜実施例４の構成＞
図５に示す即席めん容器は実施例１の発明の容器がカップ状の形状を成すものであるのに代わり、器体１をどんぶりタイプにした場合を示すものである。
図５のように器体１の形状をどんぶりタイプにした場合には、図１ａ、ｂのカップタイプに比較して持ち難い点は否めないが、容器の口がカップ形状に比較して非常に広いので、器体１中の麺５、具材６が非常に食べ易い利点がある。なお、蓋３の開閉などは、実施例１の発明の場合と全く同様であるゆえ、説明を省略する。
【実施例５】
【００３４】
＜実施例５の構成＞
図６の即席めん容器の形状は実施例２の発明の器体１がカップ形状を成すものであるのに代わり、どんぶり形状を成すものにした場合を示すものである。
図６のように器体１をどんぶり形状にした場合、実施例２の発明のように器体１がカップ形状より遥かに食べ易い利点がある。
なお、容器中に収容されている麺５、具材６は実施例２の発明と同一であることは勿論のこと、蓋２の開閉が実施例２の発明の場合と全く同一であるゆえ、その説明は省略する。
【実施例６】
【００３５】
＜実施例６の構成＞
図７は、実施例３の発明の容器がカップであるのに代わり、どんぶりタイプにした場合を示すものである。したがって、本発明の実施例７の容器を使用した場合、実施例３の発明の容器に比較して非常に器体１中の麺、具材が食べ易くなった。なお、本体蓋１１およびスープ抜き用の小蓋およびスープ抽出室９、並びに膜体２を有する略三角形状のスープ抽出室９の構成などは、実施例３の発明の場合と全く同様である。
【産業上の利用可能性】
【００３６】
本発明は、即席めん容器に於けるスープ抜きシステムの場合を説明したが、今日塩分の取りすぎは高血圧、心臓、癌などの生活習慣病を招くため、本発明は即席めん容器に限定されること無く、あらゆる食料品収納容器に使用でき、生活習慣病の予防並びに健康増進に寄与するところ誠に大である。
【図面の簡単な説明】
【００３７】
【図１】ａ  本発明の即席めん容器のスープ抜きシステムの実施例１を示すもので、容器から蓋を略剥離した状態を示す斜視図である。ｂ  図１ａの参考縦断面図である。
【図２】ａ  本発明の実施例１の発明にて、器体に膜体を嵌着させる方法の１例を示す参考縦断面図である。ｂ  本発明の実施例１の発明にて、器体に膜体を嵌着させる方法の１例を示す参考縦断面図である。
【図３】ａ  本発明の実施例２の発明を示すものであって、容器の蓋を略剥離して平面から眺めた状態を示す参考説明図である。ｂ  図３ａの状態を斜め方向から眺めた状態を示す斜視図である。ｃ  図３ｂの参考縦断面図である。
【図４】ａ  本発明の実施例３の発明を示すものであって、実施例３の発明の斜視図である。ｂ  図４ａの容器から蓋を略剥離した状態を示す斜視図である。ｃ  図４ｂの状態からスープ抜き用の小蓋を略剥離して取り外した場合を示す斜視図である。ｄ  実施例３の発明の要部の拡大縦断面図である。
【図５】実施例１の発明の容器をどんぶりタイプにした状態を示す斜視図である。
【図６】実施例２の発明の容器をどんぶりタイプにした状態を示す斜視図である。
【図７】実施例３の発明の容器をどんぶりタイプにした状態を示す斜視図である。
【符号の説明】
【００３８】
１      器体
１ａ    凹部
１ｂ    嵌着片
１ｃ    凹部
１ｄ    嵌着片
２      膜体
３      蓋
４      摘み
５      麺
６      具材
７      突出部
８      突出部
９      スープ抽出室
１０    小蓋
１１    本体蓋
α      先端
【図１】
2006248592.tif 000003
【図２】
2006248592.tif 000004
【図３】
2006248592.tif 000005
【図４】
2006248592.tif 000006
【図５】
2006248592.tif 000007
【図６】
2006248592.tif 000008
【図７】
2006248592.tif 000009